(57)【要約】【課題】カップ体に収容された内容物が加熱されたときに、カップ体の内圧が過度に高くなることを防止できる蓋付カップ容器を提供すること。【解決手段】開口部３がシール材４で密封された有底筒状のカップ体２と、前記カップ体２に被着され、前記シール材４を覆う天壁部６を有する蓋体５と、前記天壁部６に形成された第１貫通孔３１の上方又は該第１貫通孔３１内に配置され、前記シール材４を破断して開封する開封部材１７と、を備える蓋付カップ容器であって、前記開封部材１７には、前記第１貫通孔３１を通して前記シール材４に向けて尖る穿刺体２８が配設され、前記開封部材１７には、指挿入用の第２貫通孔３２が形成され、前記穿刺体２８は、前記第２貫通孔３２を塞ぐように形成され、かつ該第２貫通孔３２内に離脱可能に配設されていることを特徴とする。【選択図】図３
2015105119.tif 000002
【特許請求の範囲】
【請求項１】
開口部がシール材で密封された有底筒状のカップ体と、
前記カップ体に被着され、前記シール材を覆う天壁部を有する蓋体と、
前記天壁部に形成された第１貫通孔の上方又は該第１貫通孔内に配置され、前記シール材を破断して開封する開封部材と、を備える蓋付カップ容器であって、
前記開封部材には、前記第１貫通孔を通して前記シール材に向けて尖る穿刺体が配設され、
前記開封部材には、指挿入用の第２貫通孔が形成され、
前記穿刺体は、前記第２貫通孔を塞ぐように形成され、かつ該第２貫通孔内に離脱可能に配設されていることを特徴とする蓋付カップ容器。
【請求項２】
請求項１に記載の蓋付カップ容器であって、
前記第２貫通孔は、前記開封部材の一端部に配置されており、
前記穿刺体は、前記第２貫通孔の内周縁部に対して、カップ径方向のうち前記開封部材の一端部から他端部へ向かう方向であるカップ前方の端部でヒンジ連結され、前記他端部から前記一端部へ向かう方向であるカップ後方の端部で破断可能な弱化部を介して連結されていることを特徴とする蓋付カップ容器。
【請求項３】
請求項１に記載の蓋付カップ容器であって、
前記穿刺体は、前記第２貫通孔に離脱可能に嵌合していることを特徴とする蓋付カップ容器。
【発明の詳細な説明】
【技術分野】
【０００１】
本発明は、蓋付カップ容器に関するものである。
【背景技術】
【０００２】
従来、この種の蓋付カップ容器として、例えば下記特許文献１に示されるような、開口部がシール材で密封された有底筒状のカップ体と、前記カップ体に被着され、前記シール材を覆う天壁部を有する蓋体と、前記天壁部に形成された貫通孔の上方に配置され、前記シール材を破断して開封する開封部材と、を備えたものが知られている。
【先行技術文献】
【特許文献】
【０００３】
【特許文献１】実用新案登録第２５８９１５１号公報
【発明の概要】
【発明が解決しようとする課題】
【０００４】
しかしながら、上記従来の蓋付カップ容器では、カップ体に収容された内容物が加熱されたときに、カップ体の内圧が過度に高くなるおそれがあった。
【０００５】
本発明は、このような事情に鑑みてなされたものであって、カップ体に収容された内容物が加熱されたときに、カップ体の内圧が過度に高くなることを防止できる蓋付カップ容器を提供することを目的としている。
【課題を解決するための手段】
【０００６】
このような課題を解決して、前記目的を達成するために、本発明は以下の手段を提案している。
すなわち、本発明は、開口部がシール材で密封された有底筒状のカップ体と、前記カップ体に被着され、前記シール材を覆う天壁部を有する蓋体と、前記天壁部に形成された第１貫通孔の上方又は該第１貫通孔内に配置され、前記シール材を破断して開封する開封部材と、を備える蓋付カップ容器であって、前記開封部材には、前記第１貫通孔を通して前記シール材に向けて尖る穿刺体が配設され、前記開封部材には、指挿入用の第２貫通孔が形成され、前記穿刺体は、前記第２貫通孔を塞ぐように形成され、かつ該第２貫通孔内に離脱可能に配設されていることを特徴とする。
【０００７】
この蓋付カップ容器では、カップ体に収容された内容物が加熱され、カップ体の内圧が上昇するのに伴いシール材が上方に膨出したときに、第１貫通孔内に進入したシール材の部分に穿刺体の尖った箇所を当接させることで、前記シール材の部分を穿刺してシール材を開封することができる。これにより、カップ体内の内容物から発生した蒸気が逃がされ、カップ体の内圧を開放することができる。
【０００８】
つまり本発明によれば、加熱時にカップ体の内圧上昇によってシール材が上方（容器外方）に膨らんだとしても、穿刺体によりシール材を穿刺して開封することが可能であるので、カップ体の内圧が過度に高くなることを防止できる。
【０００９】
また穿刺体は、第２貫通孔を塞ぐように形成されており、かつ該第２貫通孔内に離脱可能に配設されているので、開封部材でシール材を開封するために第２貫通孔に指を挿入したときに、穿刺体は押下されて、第２貫通孔内からシール材に向けて離脱できる。これにより、穿刺体がより確実にシール材を穿刺可能であり、また第２貫通孔の内周縁部に指をかけ操作することで、開封部材によりシール材を容易に開封することができ、かつ、需要者が、この蓋付カップ容器が開封されたことがあるか否かを確実に視認することができる。
【００１０】
また、本発明の蓋付カップ容器において、前記第２貫通孔は、前記開封部材の一端部に配置されており、前記穿刺体は、前記第２貫通孔の内周縁部に対して、カップ径方向のうち前記開封部材の一端部から他端部へ向かう方向であるカップ前方の端部でヒンジ連結され、前記他端部から前記一端部へ向かう方向であるカップ後方の端部で破断可能な弱化部を介して連結されていることとしてもよい。
【００１１】
上記構成では、第２貫通孔内に指を挿入して穿刺体を押し下げることで、弱化部が破断されるとともに、該穿刺体がカップ前方の端部に位置するヒンジを中心に下方へ向けて回転移動して、シール材に確実に穿刺される。そして、このように穿刺体が下方移動することで、第２貫通孔の内周縁部のうちカップ後方の端部に対して指をかけやすくなり、該カップ後方の端部を引き上げる等の操作により、大きな力を必要とせず開封部材により容易にシール材を破ることができる。
【００１２】
また、本発明の蓋付カップ容器において、前記穿刺体は、前記第２貫通孔に離脱可能に嵌合していることとしてもよい。
【００１３】
上記構成では、第２貫通孔内に指を挿入して穿刺体を押し下げることで、第２貫通孔に対する穿刺体の嵌合状態が解除されるとともに、該穿刺体が下方移動してシール材に確実に穿刺される。この場合、穿刺体全体を第２貫通孔内から離脱させることが可能になり、該第２貫通孔の内周縁部に対して、より指をかけやすくすることができる。
【発明の効果】
【００１４】
本発明の蓋付カップ容器によれば、カップ体に収容された内容物が加熱されたときに、カップ体の内圧が過度に高くなることを防止できる。
【図面の簡単な説明】
【００１５】
【図１】本発明の一実施形態に係る蓋付カップ容器の蓋体を示す上面図である。
【図２】本発明の一実施形態に係る蓋付カップ容器を示す縦断面図である。
【図３】蓋付カップ容器の要部を示す縦断面図であり、穿刺体がシール材を穿刺してカップ体の内圧が解除された状態を表す拡大図である。
【図４】蓋付カップ容器の要部を示す縦断面図であり、第２貫通孔に指を挿入して穿刺体が押し下げられた状態を表す拡大図である。
【図５】蓋付カップ容器の開封部材を操作してシール材を開封し、該開封部材を係止片に係止した状態を表す上面図である。
【図６】蓋付カップ容器の変形例を示す上面図である。
【図７】図６の蓋付カップ容器を示す縦断面図である。
【図８】図６の蓋付カップ容器を示す縦断面図である。
【図９】図７の蓋付カップ容器の要部を示す縦断面図であり、穿刺体が押下された状態を表す拡大図である。
【発明を実施するための形態】
【００１６】
以下、本発明の一実施形態に係る蓋付カップ容器１について、図面を参照して説明する。
図１及び図２に示すように、本実施形態の蓋付カップ容器１は、開口部３がシール材４で密封された有底筒状のカップ体２と、カップ体２に被着され、シール材４を覆う天壁部６を有する蓋体５と、蓋体５に被着され、該蓋体５を覆うオーバーキャップ７と、を備えている。
尚、蓋体５及びオーバーキャップ７は、カップ体２に被着され、シール材４を覆う蓋部材８として機能する。
【００１７】
ここで、カップ体２及び蓋部材８（蓋体５及びオーバーキャップ７）の各中心軸線は、共通軸上に位置している。本明細書では、この共通軸を容器軸Ｏといい、容器軸Ｏに沿う方向（容器軸Ｏ方向）のうち、カップ体２の底部９側を下方（下側）といい、蓋部材８側を上方（上側）といい、容器軸Ｏに直交する方向をカップ径方向（又は単に径方向）といい、容器軸Ｏ回りに周回する方向をカップ周方向（又は単に周方向）という。また、カップ径方向のうち、後述する開封部材１７の第２貫通孔３２が配置される一端部から刃部１９が配置される他端部へ向かう方向（図１及び図２における右方向）をカップ前方といい、開封部材１７の刃部１９が配置される他端部から第２貫通孔３２が配置される一端部へ向かう方向（図１及び図２における左方向）をカップ後方という。また、カップ径方向のうち、カップ前方及びカップ後方に直交する方向をカップ幅方向（図１における上下方向）という。
【００１８】
図２において、カップ体２は、底部９及び胴部１０を有しており、横断面視が円形状をなす有底円筒状に形成されている。
カップ体２の胴部１０は、開口部３から下方に向かうに従い漸次縮径している。また、胴部１０の下端部には、カップ径方向の内側に向けて突出するとともに、カップ周方向に沿って延びる環状のスタック突起１１が形成されている。スタック突起１１は、胴部１０の下端部において底部９よりも上方に離間して配置されている。スタック突起１１が胴部１０の内周面のうち該スタック突起１１以外の部位からカップ径方向の内側に向けて突出する突出量は、図示の例では、胴部１０の周壁の厚さと同等程度となっている。
【００１９】
カップ体２の底部９は、円板状をなしており、胴部１０の下端部内に配設されていて、該下端部の開口を塞いでいる。図示の例では、底部９は、胴部１０の下端よりも若干上方に離間して配置されている。
特に図示していないが、内容物を充填する前のカップ体２を容器軸Ｏ方向に複数積み重ねて保管（スタック）する場合などにおいて、積み重なる複数のカップ体２のうち、下方に位置するカップ体２のスタック突起１１には、上方に位置する別のカップ体２の胴部１０の下端が、前記スタック突起１１に対してその上方から当接するようになっている。このようなスタック突起１１は、内容物を収容する前の、シール材４が貼着されていない状態のカップ体２を容器軸Ｏ方向に複数重ねて保管する場合などにおいて、これらカップ体２の胴部１０同士が密着することを抑制して、これら胴部１０同士の間に隙間を形成するとともに、これらカップ体２同士を容器軸Ｏ方向に離間させやすくする目的で設けられている。
【００２０】
また、カップ体２の上端開口縁には、カップ径方向の外側に向かって突出するとともにカップ周方向に沿って延びる環状のフランジ部１２が形成されている。そして、このフランジ部１２の上面にシール材４が固着されており、開口部３を封止している。
シール材４は、例えば合成樹脂の単層或いは積層シート、又は金属薄膜層と合成樹脂層とが積層された積層シート等で形成されている。また、フランジ部１２の上面にシール材４を固着する方法としては、例えば貼着、圧着、熱溶着、高周波溶着や接着等が挙げられる。
【００２１】
図１及び図２に示されるように、蓋体５は、シール材４をその上方から覆うように形成された円板状の天壁部６と、天壁部６の外周縁部から垂下設された筒状の周壁部１３と、周壁部１３よりも小径とされ、天壁部６上に立設されたガイド筒部１４と、を有している。
【００２２】
周壁部１３は、フランジ部１２に対してその径方向外側から嵌合している。
また、ガイド筒部１４の内径は、カップ体２の開口部３の内径に対して同等とされ、又は僅かに小さくされている。ガイド筒部１４の上端開口縁は、天壁部６の後述する開封部材１７及び係止片１８よりも上方に位置している。ガイド筒部１４のうち、カップ後方に位置する部分には、該ガイド筒部１４を径方向に貫通して矩形状に切り欠かれるように切り欠き部１５が形成されている。切り欠き部１５には、後述するように開封部材１７がカップ後方へ向けて開封操作された状態において、該開封部材１７の連結部２６が挿入されるようになっている。
【００２３】
図２において、天壁部６の外径は、フランジ部１２の外径よりも僅かに大きくなっており、該天壁部６の下面には、シール材４が固着されている。天壁部６の下面にシール材４を固着する方法としては、例えば貼着、圧着、熱溶着、高周波溶着や接着等が挙げられる。天壁部６の外周縁部は、シール材４を間に挟んでフランジ部１２上に載置されている。
【００２４】
図１において、天壁部６は、シール材４が下面に固着される平板部１６と、該平板部１６に第１ヒンジ２１回りに回動可能に連結され、刃部１９の下面にのみシール材４が固着された開封部材１７と、平板部１６上に立設され、カップ後方へ向けて開封操作された状態の開封部材１７及び平板部１６の部分が係止される係止片１８と、を備えている。
【００２５】
天壁部６の平板部１６には、開封部材１７の外形形状に対応する形状をなして該平板部１６を板厚方向に貫通する第１貫通孔３１が形成されている。第１貫通孔３１は、平板部１６における容器軸Ｏを含む中央部（カップ径方向の中央部）からカップ前方へ向けた位置にわたって開口しており、前記中央部に位置する部分の形状が円形孔状とされ、該中央部からカップ前方へ向かう部分の形状が矩形孔状とされている。第１貫通孔３１のうち、矩形孔状とされた部分の幅（カップ幅方向の長さ）は、円形孔状とされた前記中央部の幅よりも小さくなっている。
【００２６】
また平板部１６には、図１に示される上面視で、開封部材１７の刃部１９の先端形状に対応してカップ前方へ向けて凸となるＶ字状をなす前方溝部２０と、前方溝部２０のカップ幅方向の両端からカップ後方へ向けて延びるとともに、互いにカップ幅方向に離間して配置された一対の側方溝部２３と、が形成されている。
またこの上面視で、前方溝部２０は、刃部１９の先端位置に対応するカップ幅方向の中央部からカップ幅方向の両側へ向かうに従いカップ後方へ向けて傾斜して延びており、カップ幅方向の両端部の形状は、カップ径方向の外側へ向けて凸となる曲線状（凸円弧状）をなしている。
【００２７】
また一対の側方溝部２３は、平板部１６に開口する第１貫通孔３１からカップ幅方向の両外側に離間して配置されており、図１に示される例では、一対の側方溝部２３同士の間のカップ幅方向に沿う距離は、これら側方溝部２３におけるカップ前方部分では一定とされ、カップ後方部分では、カップ後方に向かうに従い漸次大きくされている。また、前方溝部２０及び一対の側方溝部２３の各溝幅は、下方に向かうに従い漸次小さくされている（図２を参照）。
【００２８】
また、図１に示される例では、これら前方溝部２０及び一対の側方溝部２３のうち、一対の側方溝部２３に、溝幅方向に対向する内壁面同士を連結するとともに破断可能とされた弱化部２４がそれぞれ形成されている。
尚、本実施形態では弱化部２４が、側方溝部２３内の一部にのみ形成されているが、これに限定されるものではなく、弱化部２４が側方溝部２３の延在方向に沿って互いに間隔をあけて複数形成されていたり、側方溝部２３内の全域にわたって形成されていてもよいし、前方溝部２０に形成されていてもよい。
また、側方溝部２３に弱化部２４が形成される代わりに、又はこれとともに、前方溝部２０に、溝幅方向に対向する内壁面同士を連結するとともに破断可能とされた弱化部が形成されていてもよい。このように前方溝部２０に弱化部を形成する場合においても、弱化部を前方溝部２０の一部、複数個所、又は全域に形成してよい。
さらに、前記弱化部が設けられていなくてもよい。
【００２９】
また、開封部材１７は、天壁部６の平板部１６に形成された第１貫通孔３１の上方又は該第１貫通孔３１内に配置され（少なくとも第１貫通孔３１の上方及び第１貫通孔３１内のいずれかに配置され）、シール材４を破断して開封するように構成される。図２において、本実施形態では開封部材１７が、第１貫通孔３１の上方に位置している。
【００３０】
具体的に、本実施形態の開封部材１７は、カップ径方向のうち、カップ幅方向に直交するカップ前後方向（カップ前方及びカップ後方に沿う方向）に延びており、該開封部材１７のカップ後方の端部（一端部）には操作リング部２５が設けられ、カップ前方の端部（他端部）には刃部１９が設けられ、操作リング部２５と刃部１９との間には、これらを連結する連結部２６が設けられている。また、開封部材１７の板厚は、平板部１６の板厚よりも大きくされている。
【００３１】
図１に示される上面視で、操作リング部２５は、円環状をなしている。また操作リング部２５には、該操作リング部２５を板厚方向に貫通する円形孔状の第２貫通孔３２が形成されている。上述したように、操作リング部２５は開封部材１７におけるカップ後方の端部（一端部）に配置されており、よって第２貫通孔３２も、開封部材１７のカップ後方の端部（一端部）に配置される。
【００３２】
具体的に図１において、操作リング部２５の内周縁部のうち、カップ前方に位置する部分の形状は、カップ幅方向に延びる直線状をなしており、該カップ前方に位置する部分以外の部位は、凹曲線状（凹円弧状）をなしている。
また図２に示されるように、操作リング部２５は、シール材４から上方に離間して配設されている。操作リング部２５のうち、カップ前方に位置する部分には、該操作リング部２５における連結部２６との連結部分から下方へ向けて支持板２７が垂下設されている。また操作リング部２５のうち、カップ後方に位置する部分の板厚（図２における上下方向の厚さ）は、支持板２７と当該カップ後方に位置する部分との間に位置する部位の板厚よりも大きくされている。
【００３３】
また、図１に示される上面視において、刃部１９は、三角形状をなしており、図示の例では二等辺三角形状をなしている。尚、刃部１９の上面視形状は二等辺三角形状に限定されるものではないが、本実施形態においては説明の便宜上、図１の上面視において刃部１９の外周を構成する三角形の３辺のうち、カップ前方に位置してＶ字状をなす一対の辺を「等辺」と呼び、カップ後方に位置してカップ幅方向に延びる辺を「底辺」と呼ぶ。
【００３４】
刃部１９の下面には、シール材４が固着されている。具体的には、刃部１９の下面のうち、カップ幅方向の中央部かつカップ後方に位置する部分以外の、下面視でカップ前方へ向けて凸となるＶ字状領域（刃部１９の下面のうち一対の等辺に対応する部分、及び底辺のカップ幅方向の両端部に対応する部分）に、シール材４が固着している（図６を参照）。
【００３５】
また図１において、刃部１９の底辺におけるカップ幅方向の両端部は、一対の第１ヒンジ２１を介して平板部１６に連結されている。これら第１ヒンジ２１は、前方溝部２０と側方溝部２３の連結部分と、第１貫通孔３１のカップ前方の端部との間に位置してカップ幅方向に沿ってそれぞれ延びているとともに、刃部１９と平板部１６とをカップ前後方向に連結している。
【００３６】
連結部２６は、操作リング部２５と刃部１９とをカップ前後方向に連結している。図１に示される例では、連結部２６の幅（カップ幅方向に沿う長さ）は、操作リング部２５及び刃部１９の幅よりも小さくされている。また図２において、連結部２６は刃部１９からカップ後方に向かうに従い漸次上方へ向けて傾斜している。連結部２６は、シール材４から上方に離間して配設されている。
【００３７】
そして、図１及び図２に示されるように、開封部材１７における操作リング部２５に形成された指挿入用の第２貫通孔３２に、第１貫通孔３１を通してシール材４に向けて尖る穿刺体２８が配設されている。穿刺体２８は、第２貫通孔３２を塞ぐように形成され、かつ該第２貫通孔３２内に離脱可能に配設されている。
【００３８】
穿刺体２８は、円板状をなす本体部２９と、該本体部２９から下方のシール材４へ向けて突設された針部３０と、を有している。
本実施形態では、穿刺体２８の本体部２９が、第２貫通孔３２の内周縁部に対して、カップ径方向のうちカップ前方の端部でヒンジ連結され、カップ後方の端部で破断可能な弱化部３３を介して連結されている。具体的に、本体部２９のカップ前方の端部は、操作リング部２５の内周縁部のうち支持板２７の下端部に第２ヒンジ２２を介して連結されており、本体部２９のカップ後方の端部は、操作リング部２５の内周縁部のうちカップ後方の端部における下端部に弱化部３３を介して連結されている。
【００３９】
図２に示される縦断面視で、本体部２９は、第２ヒンジ２２からカップ後方へ向かうに従い漸次上方へ向けて傾斜している。
また第２ヒンジ２２は、カップ幅方向に沿って延びているとともに、操作リング部２５の支持板２７と、穿刺体２８の本体部２９とをカップ前後方向に連結している。
【００４０】
また針部３０は、本体部２９における容器軸Ｏと弱化部３３との間に配置されているとともに、該本体部２９の下面から下方に向かうに従い先鋭とされた突起状をなして、シール材４へ向けて尖っている。このような針部３０に対して、加熱等により膨らんだシール材４が当接（押圧）されることで、該シール材４に穿刺孔が形成され、カップ体２が開封されるようになっている。
【００４１】
係止片１８は、平板部１６上に立設される係止本体３４と、係止本体３４の上端部からカップ幅方向の内側へ向けて突設される係止突起３５と、を有している。本実施形態では、平板部１６上における第１貫通孔３１よりもカップ後方に係止片１８が一対設けられており、これら係止片１８はカップ幅方向に離間して配置されるとともに、互いの係止突起３５同士を対向配置している。
【００４２】
オーバーキャップ７は、例えば合成樹脂からなる薄肉の成形品であり、蓋体５における天壁部６の外周縁部、周壁部１３及びガイド筒部１４の形状に倣いながら、これらをカップ径方向の外側から覆うように形成された筒状の外装部３６と、外装部３６の上端部に接続された天板部３７と、を備える有頂筒状に形成されている。
【００４３】
外装部３６の下端部は、蓋体５の周壁部１３よりも下方に延びており、カップ径方向の内側に向けて突出した係止部３８を介して周壁部１３に対してアンダーカット嵌合されている。これによりオーバーキャップ７は、蓋体５に対して着脱自在に装着されている。ただし、蓋体５に対する外装部３６の装着（固定）方法については、前記アンダーカット嵌合に限定されない。
【００４４】
また、天板部３７は、外装部３６との連設部分である環状の外周縁部よりもカップ径方向の内側に位置するとともに、該外周縁部に対して一段下方に凹んだ上面視円形状の凹部３９を有している。凹部３９の内径は、カップ体２の胴部１０（又は底部９）の下端の外径よりも大きくなっており、これにより凹部３９上に、別の蓋付カップ容器１のカップ体２を載置可能である。
【００４５】
次に、本実施形態の蓋付カップ容器１の使用について説明する。
例えば電子レンジ等を利用して蓋付カップ容器１を加熱し、カップ体２に収容された内容物を温めると、加熱により発生した蒸気によってカップ体２の内圧が上昇するとともに、これに伴ってシール材４が上方に向けて膨らみ始め、図３に示されるように、シール材４の膨出した部分が、穿刺体２８の下面に当接する。穿刺体２８の下面には針部３０が突設されており、該針部３０にシール材４の膨出した部分が接触することで、シール材４に穿刺孔が開口されて、カップ体２が開封される。これにより、カップ体２内の蒸気が穿刺孔から容器外部へ逃がされるので、該カップ体２の内圧が所定以上に大きくなることが抑制される。
尚、シール材４が膨らんだ際において、該シール材４の膨出した部分が穿刺体２８の下面（の針部３０）に必ずしも当接する必要はなく、この場合、後述する穿刺体２８を押し込む操作によってシール材４が開封されることになる。
【００４６】
次に、蓋付カップ容器１の開封部材１７を操作して、シール材４に内容物を取り出すための開口部分（図５を参照）を形成する。本実施形態の蓋付カップ容器１においては、複数種類（具体的には３種類）の開封操作の中から、操作者が適宜操作を選択できるようになっている。
まず、複数種類の開封操作のすべてに共通する操作について説明する。図４に示されるように、操作リング部２５の第２貫通孔３２内に操作者が指を挿入して、穿刺体２８をシール材４へ向けて押し下げ、該第２貫通孔３２から穿刺体２８を離脱させることで、操作リング部２５を操作可能な状態とする。具体的には、穿刺体２８を押し下げることにより、弱化部３３が破断されるとともに、該穿刺体２８は第２貫通孔３２内から離脱し、第２ヒンジ２２回りに回動してシール材４に確実に当接させられる。
従って、上述のようにシール材４が膨出したときに、該シール材４が穿刺体２８の下面に当接しなかった場合でも、穿刺体２８を押し下げる操作によって、該穿刺体２８の下面の針部３０がシール材４に確実に接触させられて、シール材４に穿刺孔が開口されるとともに、該シール材４が開封される。また、加圧状態とされたカップ体２のシール材４に穿刺体２８を穿刺した場合でも、穿刺孔から容器外部へ噴出する蒸気が本体部２９により遮られるため、蒸気の噴出による火傷等を防止できる。
尚、穿刺体２８を押し込む操作によってシール材４が確実に開封されることから、例えばカップ体２の内容物を加熱する前に、当該押し込み操作を行っておいてもよい。
【００４７】
そして、第１の開封操作では、操作リング部２５に指をかけた状態から、該操作リング部２５を第１ヒンジ２１回りに、上方及びカップ前方へ向かうように回動させる。これにより、開封部材１７において操作リング部２５とは反対側の端部（他端部）に位置する刃部１９が、第１ヒンジ２１回りに回動しつつシール材４を前方溝部２０に沿うように押し破って、刃部１９に対応する形状（本実施形態では三角形孔状）の開口部分が形成される。尚、前方溝部２０に弱化部を形成していた場合には、この操作により該弱化部は破断される。
第１の開封操作では、シール材４に小さい開口部分（内容物取り出し孔）を形成することができる。
【００４８】
また、第２の開封操作では、上述した第１の開封操作の後、さらに操作リング部２５をカップ後方（上方でもよい）へ向けて引っ張る（引き戻す）。これにより、一対の側方溝部２３の弱化部２４が破断されつつ、刃部１９及び第１ヒンジ２１のカップ後方に連なる平板部１６の部分（平板部１６のうち、側方溝部２３と第１貫通孔３１との間に形成された帯状の部分１６ａ）が、これらの下面に固着するシール材４とともにめくり上げられて、前方溝部２０及び一対の側方溝部２３のカップ径方向の内側に対応する領域に、図５に示されるような略五角形状の開口部分が形成される。すなわちこの場合、シール材４は、前方溝部２０及び一対の側方溝部２３に沿うように引き裂かれることになる。
第２の開封操作では、シール材４に大きい開口部分を形成することができる。
【００４９】
また図５において、このように開口部分を形成した後は、さらに操作リング部２５をカップ後方へ向けて移動させ、平板部１６のうち側方溝部２３と第１貫通孔３１との間に形成された帯状の部分１６ａを一対の係止片１８の係止本体３４同士の間に挿入し、刃部１９においてカップ前方を向く一対の等辺を係止片１８に対してカップ後方から当接させ、開封部材１７の連結部２６をガイド筒部１４の切り欠き部１５内に挿入することで、開封操作後の開封部材１７等を前記開口部分から離れた位置で固定でき、内容物を取り出しやすくすることができる。
【００５０】
また、第３の開封操作では、上述した第１の開封操作を行うことなく、操作リング部２５をカップ後方（上方でもよい）へ向けて引っ張ることにより、シール材４に上述した略五角形状の開口部分を形成する。すなわちこの場合も、上記第２の開封操作と同様に、シール材４は、前方溝部２０及び一対の側方溝部２３に沿うように引き裂かれることになる。
第３の開封操作によっても、シール材４に大きい開口部分を形成することができる。またこの場合も、上述した第２の開封操作と同様に、開封操作後の開封部材１７等を前記開口部分から離れた位置で固定することができる。
【００５１】
以上説明した本実施形態の蓋付カップ容器１では、カップ体２に収容された内容物が加熱され、カップ体２の内圧が上昇するのに伴いシール材４が上方に膨出したときに、第１貫通孔３１内に進入したシール材４の部分に穿刺体２８の尖った箇所（針部３０）を当接させることで、前記シール材４の部分を穿刺してシール材４を開封することができる。これにより、カップ体２内の内容物から発生した蒸気が逃がされ、カップ体２の内圧を開放することができる。
【００５２】
つまり本実施形態によれば、加熱時にカップ体２の内圧上昇によってシール材４が上方（容器外方）に膨らんだとしても、穿刺体２８によりシール材４を穿刺して開封することが可能であるので、カップ体２の内圧が過度に高くなることを防止できる。
【００５３】
また穿刺体２８は、第２貫通孔３２を塞ぐように形成されており、かつ該第２貫通孔３２内に離脱可能に配設されているので、開封部材１７でシール材４を開封するために第２貫通孔３２に指を挿入したときに、穿刺体２８は押下されて、第２貫通孔３２内からシール材４に向けて離脱できる。これにより、穿刺体２８がより確実にシール材４を穿刺可能であり、また第２貫通孔３２の内周縁部に指をかけ操作することで、開封部材１７によりシール材４を容易に開封することができ、かつ、需要者が、この蓋付カップ容器１が開封されたことがあるか否かを確実に視認することができる。
【００５４】
また本実施形態では、第２貫通孔３２が、開封部材１７におけるカップ後方の端部に配置されており、穿刺体２８は、第２貫通孔３２の内周縁部に対して、カップ前方の端部でヒンジ連結され、カップ後方の端部で破断可能な弱化部３３を介して連結されているので、下記の効果が得られる。
すなわち上記構成では、第２貫通孔３２内に指を挿入して穿刺体２８を押し下げることで、弱化部３３が破断されるとともに、該穿刺体２８がカップ前方の端部に位置する第２ヒンジ２２を中心に下方へ向けて回転移動して、シール材４に確実に穿刺される。そして、このように穿刺体２８が下方移動することで、第２貫通孔３２の内周縁部のうちカップ後方の端部に対して指をかけやすくなり、該カップ後方の端部を引き上げる等の操作により、大きな力を必要とせず開封部材１７により容易にシール材４を破ることができる。
【００５５】
また、穿刺体２８のカップ前方の端部と、操作リング部２５の内周縁部とを連結する第２ヒンジ２２が、該操作リング部２５におけるカップ前方の端部から垂下設される支持板２７の下端部に設けられており、この第２ヒンジ２２は、シール材４に接近配置されている。このような第２ヒンジ２２を中心に穿刺体２８が回動させられることで、該穿刺体２８の針部３０が、より確実にシール材４に穿刺されるようになっている。
【００５６】
また、穿刺体２８のカップ後方の端部と、操作リング部２５の内周縁部とを連結する弱化部３３が、第２ヒンジ２２よりも上方に位置しているとともに、シール材４から離間して配置されていることから、穿刺体２８を押し下げて第２貫通孔３２内から離脱させたときに、この穿刺体２８がシール材４に対して強く当たることが防止される。
さらに、第２ヒンジ２２がシール材４に接近配置されていることで、押し下げられた穿刺体２８がシール材４に当たった場合でも、穿刺体２８の下面全体で面当たりしやすくなり力が分散されるので、穿刺体２８の押し下げ操作によりシール材４が大きく破かれるようなことが防止される。
【００５７】
尚、本発明は前述の実施形態に限定されるものではなく、本発明の趣旨を逸脱しない範囲において種々の変更を加えることが可能である。
【００５８】
例えば、前述の実施形態では、穿刺体２８が、第２貫通孔３２の内周縁部に対して、カップ前方の端部でヒンジ連結され、カップ後方の端部で破断可能な弱化部３３を介して連結されているとしたが、これに限定されるものではない。
ここで、図６〜図９に示されるものは、前述の実施形態で説明した蓋付カップ容器１の変形例であり、この変形例において穿刺体４０は、第２貫通孔３２に離脱可能に嵌合している。
【００５９】
図６〜図８に示されるように、この変形例では、操作リング部２５の内径は、該操作リング部２５の上側部分に比べて下側部分が大きくされており、穿刺体４０は、操作リング部２５の下側部分内に嵌合しているとともに、下方に向けて離脱可能とされている。
また図８において、操作リング部２５の下側部分には、下方に向けて複数（図示の例では一対）の支持突起４１が垂下設されており、これら支持突起４１において径方向内側へ向けて突出する突起部４２が、穿刺体４０に対してその下方から係止されている。
【００６０】
また穿刺体４０は、円板状をなす本体部４３と、該本体部４３から下方のシール材４へ向けて突設されたパイプ針部４４と、を有している。
本体部４３は、第２貫通孔３２の内周縁部（操作リング部２５の下側部分）に嵌合されており、該本体部４３の外周縁部には、その上方から操作リング部２５の上側部分が当接され、その下方から突起部４２が係止されている。また、パイプ針部４４は、本体部４３を上下方向に貫通しており、該パイプ針部４４においてシール材４側を向く下端は、先鋭形状とされて、シール材４に接近配置されている。
【００６１】
このように構成された変形例では、第２貫通孔３２内に指を挿入して穿刺体４０を押し下げることで、第２貫通孔３２に対する穿刺体４０の嵌合状態が解除されるとともに、図９に示されるように穿刺体４０が下方移動して、シール材４に確実に穿刺される。この場合、穿刺体４０全体を第２貫通孔３２内から離脱させることが可能になり、該第２貫通孔３２の内周縁部に対して、より指をかけやすくすることができる。
尚、穿刺体４０のパイプ針部４４は、本体部４３を上下方向に貫通しているので、該パイプ針部４４がシール材４に穿刺された際に、カップ体２内の蒸気はパイプ針部４４内を通して容器外部に開放される。つまりこの変形例では、パイプ針部４４内にカップ体２の蒸気を逃がす流路が形成されているので、カップ体２の高められた内圧をより確実に低めることができる。尚、パイプ針部４４は、本体部４３を貫通することなく、該本体部４３に垂下設されていてもよい。
【００６２】
また上記変形例では、カップ体２にスタック突起１１を設ける代わりに、図７及び図８に示されるように、胴部１０に大径部４５を設けている。大径部４５は、フランジ部１２の下方に連設されており、上下方向に沿う全域にわたって直径が略一定とされている。このような大径部４５が形成されることで、内容物を充填する前のカップ体２を容器軸Ｏ方向に複数積み重ねて保管（スタック）する場合などにおいて、積み重なる複数のカップ体２のうち、下方に位置するカップ体２のフランジ部１２には、上方に位置する別のカップ体２の胴部１０の大径部４５が、前記フランジ部１２に対してその上方から当接するようになっている。このような大径部４５は、内容物を収容する前の、シール材４が貼着されていない状態のカップ体２を容器軸Ｏ方向に複数重ねて保管する場合などにおいて、これらカップ体２の胴部１０同士が密着することを抑制して、これら胴部１０同士の間に隙間を形成するとともに、これらカップ体２同士を容器軸Ｏ方向に離間させやすくする目的で設けられている。
またこの変形例では、底部９は胴部１０の下端に連結されており、該底部９の中央部には、上方に向けて凹む凹状部分が形成されている。
【００６３】
また、穿刺体２８、４０及びその尖った箇所（針部３０、パイプ針部４４）の形状は、上述したものに限定されない。
また、前述の実施形態では、天壁部６の下面にシール材４が固着されているとしたが、これに限定されるものではない。すなわち、本発明による作用効果は、シール材４が天壁部６の下面に固着されていなくても得られるものであり、この場合、開封部材１７を第１ヒンジ２１回りに回動させることで（上述の第１の開封操作により）、シール材４に開口部分を形成することができる。
【００６４】
また、前述の実施形態では、蓋体５及びオーバーキャップ７の２部品で蓋部材８が構成されるとしたが、蓋部材８は蓋体５のみで構成されていてもよい。すなわち、オーバーキャップ７は設けられていなくてもよい。
【００６５】
その他、本発明の趣旨を逸脱しない範囲で、上述した実施形態における構成要素を周知の構成要素に置き換えることは適宜可能であり、また、上述した変形例を適宜組み合わせてもよい。
【符号の説明】
【００６６】
１  蓋付カップ容器
２  カップ体
３  開口部
４  シール材
５  蓋体
６  天壁部
１７  開封部材
２２  第２ヒンジ
２８、４０  穿刺体
３１  第１貫通孔
３２  第２貫通孔
３３  弱化部
【図１】
2015105119.tif 000003
【図２】
2015105119.tif 000004
【図３】
2015105119.tif 000005
【図４】
2015105119.tif 000006
【図５】
2015105119.tif 000007
【図６】
2015105119.tif 000008
【図７】
2015105119.tif 000009
【図８】
2015105119.tif 000010
【図９】
2015105119.tif 000011